(57)【要約】      （修正有）【課題】ヘルメットの凸面に沿って装着され、しかも、暗闇であっても視認性の高い発光する名前表示装置を提供する。【解決手段】名前が記載された部分が発光する屈曲可能な発光表示シート１３、及び発光表示シート１３の裏面側に設けられた第１の面状ファスナの一方のファスナ片を備えた名前表示部１１と、第１の面状ファスナの一方のファスナ片に取り外し可能に接合する第１の面状ファスナの他方のファスナ片を表面側に有し、裏面側には接着剤が設けられた第１の貼着シート部材と、発光表示シート１３に電力を供給する電池を備えた電源部１２とを有する。【選択図】図１
0003168426.tif 000002
【実用新案登録請求の範囲】
【請求項１】
名前が記載された部分が発光する屈曲可能な発光表示シート、及び該発光表示シートの裏面側に設けられた第１の面状ファスナの一方のファスナ片を備えた名前表示部と、該第１の面状ファスナの一方のファスナ片に取り外し可能に接合する第１の面状ファスナの他方のファスナ片を表面側に有し、裏面側には接着剤が設けられた第１の貼着シート部材と、前記発光表示シートに電力を供給する電池を備えた電源部とを有することを特徴とする発光する名前表示装置。
【請求項２】
請求項１記載の発光する名前表示装置において、前記電源部は、前記電池と該電池の裏側に直接又は電池ホルダーを介して貼着された第２の面状ファスナの一方のファスナ片とを有し、該第２の面状ファスナの一方のファスナ片に取り外し可能に接合する第２の面状ファスナの他方のファスナ片を表面側に、裏面側には接着剤が設けられた第２の貼着シート部材によって、前記電源部を所定箇所に取付け可能となっていることを特徴とする発光する名前表示装置。
【請求項３】
請求項１又は２記載の発光する名前表示装置において、前記発光表示シートは、有機ＥＬシート部材と、該有機ＥＬシート部材の表面に配置され、名前が記載された部分が透光性を有するカバーシートとを有する発光する名前表示装置。
【請求項４】
請求項３記載の発光する名前表示装置において、前記有機ＥＬシート部材への電力は、前記電池の電源を昇圧ＤＣ−ＡＣコンバータを介して昇圧して供給され、しかも、前記昇圧ＤＣ−ＡＣコンバータは、前記電源部とは別に配置される前記名前表示部に設けられていることを特徴とする発光する名前表示装置。
【請求項５】
請求項３記載の発光する名前表示装置において、前記有機ＥＬシート部材への電力は、前記電池の電源を昇圧ＤＣ−ＡＣコンバータを介して昇圧して供給され、しかも、前記昇圧ＤＣ−ＡＣコンバータは、前記名前表示部とは別に配置される前記電源部に設けられていることを特徴とする発光する名前表示装置。
【考案の詳細な説明】
【技術分野】
【０００１】
本考案はヘルメットなどに取り付けて、電池を電源として夜間に発光する名前表示装置に関する。
【背景技術】
【０００２】
従来、作業用のヘルメットには、装着者の所属や名前を記載した名札等が設けられているか、又は名称等が直接記載されていることが多いが、夜間になるとこれらの名札や名称は見えなくなり、ヘルメットを装着した作業者を特定することが難しくなる。
また、このような名前や名称をヘルメットに夜光塗料や反射部材等で記載することも行われている。
【先行技術文献】
【特許文献】
【０００３】
【特許文献１】実用新案登録第３１５０２４３号公報
【考案の概要】
【考案が解決しようとする課題】
【０００４】
しかしながら、特許文献１に記載のような照明付きのヘルメットに名札等を取り付けると、照明のために名札等の記載が読みにくくなる。勿論、照明装置のないヘルメットにおいても事情は同じである。
また、夜光塗料で名称を記載した場合、輝度が小さく更に時間と共に輝度が弱くなるという問題があり、反射部材等で名前を記載した場合は反射部材に光を当てる照明手段が必要であるという問題があった。
【０００５】
本考案は、かかる事情に鑑みてなされたもので、ヘルメットの凸面（即ち、外側面）に沿って装着され、しかも、暗闇であっても視認性の高い発光する名前表示装置を提供することを目的とする。
【課題を解決するための手段】
【０００６】
前記目的に沿う第１の考案に係る発光する名前表示装置は、名前が記載された部分が発光する屈曲可能な発光表示シート、及び該発光表示シートの裏面側に設けられた第１の面状ファスナの一方のファスナ片を備えた名前表示部と、該第１の面状ファスナの一方のファスナ片に取り外し可能に接合する第１の面状ファスナの他方のファスナ片を表面側に有し、裏面側には接着剤が設けられた第１の貼着シート部材と、前記発光表示シートに電力を供給する電池を備えた電源部とを有する。
【０００７】
また、第２の考案に係る発光する名前表示装置は、第１の考案に係る発光する名前表示装置において、前記電源部は、前記電池と該電池の裏側に直接又は電池ホルダーを介して貼着された第２の面状ファスナの一方のファスナ片とを有し、該第２の面状ファスナの一方のファスナ片に取り外し可能に接合する第２の面状ファスナの他方のファスナ片を表面側に、裏面側には接着剤が設けられた第２の貼着シート部材によって、前記電源部を所定箇所に取付け可能となっている。
【０００８】
第３の考案に係る発光する名前表示装置は、第１、第２の考案に係る発光する名前表示装置において、前記発光表示シートは、有機ＥＬシート部材と、該有機ＥＬシート部材の表面に配置され、名前が記載された部分が透光性を有するカバーシートとを有する。
【０００９】
第４の考案に係る発光する名前表示装置は、第３の考案に係る発光する名前表示装置において、前記有機ＥＬシート部材への電力は、前記電池の電源を昇圧ＤＣ−ＡＣコンバータを介して昇圧して供給され、しかも、前記昇圧ＤＣ−ＡＣコンバータは、前記電源部とは別に配置される前記名前表示部に設けられている。
【００１０】
そして、第５の考案に係る発光する名前表示装置は、第３の考案に係る発光する名前表示装置において、前記有機ＥＬシート部材への電力は、前記電池の電源を昇圧ＤＣ−ＡＣコンバータを介して昇圧して供給され、しかも、前記昇圧ＤＣ−ＡＣコンバータは、前記名前表示部とは別に配置される前記電源部に設けられている。
【考案の効果】
【００１１】
本考案に係る発光する名前表示装置においては、発光表示シートに記載された名前が光るので、暗闇であっても遠方から視認できる。そして、発光表示シートは屈曲可能であるので、ヘルメットのような凸面であっても面状ファスナを介して円滑に発光表示シートを容易に剥げないように貼り付けできる。
【００１２】
この場合、発光表示シートに電源を供給する電源部も、発光表示シートとは別にしてヘルメット（即ち、所定箇所）に面状ファスナを介して貼り付けることができるようにしておくと、発光表示シート及び電源部が嵩張らず、コンパクトに構成できる。
【００１３】
そして、発光表示シートを裏面側に配置された有機ＥＬシート部材と、有機ＥＬシート部材の表面に配置され、名前が記載された部分が透光性を有するカバーシートとを有して構成すると、有機ＥＬシート部材の複雑な加工を行う必要が無くなり、記載する名前を自由に変えることができる。
【００１４】
特に、有機ＥＬシート部材に高圧の電力を供給する昇圧ＤＣ−ＡＣコンバータを名前表示部に組み込んだ場合は、電源部は電池を主体とすることになるので、高圧部分がなく有機ＥＬシート部材には低圧の電源を供給することになり、安全性が高くなる。
【図面の簡単な説明】
【００１５】
【図１】本考案の一実施の形態に係る発光する名前表示装置をヘルメットに取り付けた状態の斜視図である。
【図２】同発光する名前表示装置をヘルメットに取付けた状態の側面図である。
【図３】（Ａ）は同発光する名前表示装置の各構成部品の説明図であり、（Ｂ）は同発光する名前表示装置の回路図である。
【図４】同発光する名前表示装置の発光表示シートの分解図である。
【考案を実施するための形態】
【００１６】
続いて、本考案を具体化した一実施の形態に係る発光する名前表示装置について添付した図面を参照しながら説明する。
図１〜図３に示すように、本考案の一実施の形態に係る発光する名前表示装置１０は、名前表示部１１と、この名前表示部１１に電力を供給する電源部１２とを有している。以下、これらについて詳しく説明する。
【００１７】
図３（Ａ）に示すように、名前表示部１１は、折り曲げ可能な発光表示シート１３とその裏面側に接着剤等で貼り付けられた第１の面状ファスナの一方のファスナ片１４とを有している。発光表示シート１３は図４に示すように、裏面側に配置された矩形状の有機ＥＬシート部材１６とその表面に配置され名前（記号、数字の含む、この例では「○○凹凸」）が記載された部分が透光性を有するカバーシート１７とを有している。カバーシート１７は図４に示すように、表面の透明シート片１８と名前が打ち抜き形成された非透光性シート片（例えば、黒色シート片）１８ａとからなってもよいし、名前を記載した部分が透明でその残余（即ち、名前を記載しない背景）が非透光性のシート片を用いてもよい。なお、第１の面状ファスナは有機ＥＬシート部材１６及びカバーシート１７（透明シート片１８とその裏側の非透光性シート片１８ａからなる）と同様折り曲げ可能である。
【００１８】
有機ＥＬシート部材１６は高圧の交流電圧を発すると単一色（例えば、白色）の光を発光する面状発光体からなって、裏面には絶縁シート片（図示せず）が設けられている。この発光表示シート１３の裏面に貼着されたファスナ片１４とは別に、第１の面状ファスナの他方のファスナ片１９が表側に、裏面には接着剤が塗布された折り曲げ可能な第１の貼着シート部材２０が備えられ、第１の貼着シート部材２０をヘルメット２１の所定位置（背面側）に貼り付け、名前表示部１１をヘルメット２１の所定位置に取付けることができる。
なお、名前表示部１１には、有機ＥＬシート部材１６に電圧を加える導体に接続された接続端子２２が設けられている。
【００１９】
電源部１２は、リチウムイオン電池（電池の一例）２３と、リチウムイオン電池２３に直接又は電池ホルダー（図示せず）を介して裏面側に取付けられた第２の面状ファスナの一方のファスナ片２４を有し、このファスナ片２４に係合する第２の面状ファスナの他方のファスナ片２４ａを表面側に、裏面側には接着剤が塗布された第２の貼着シート部材２５によって、ヘルメット２１の特定位置（例えば、前側）に電源部１２を取り付けることができるようになっている。その回路構成を図３（Ｂ）に示す。
【００２０】
この電源部１２には、リチウムイオン電池２３の電圧を高圧の交流電圧に変換する昇圧ＤＣ−ＡＣコンバータ２７が設けられている。この昇圧ＤＣ−ＡＣコンバータ２７から２本のリード線２８が基端を発して、名前表示部１１の接続端子２２を介して有機ＥＬシート部材１６に電力を供給するようになっている。なお、リチウムイオン電池２３の出力側にはスイッチ３０が設けられ、不使用の場合はオフにして名前表示部１１の発光を止めている。
なお、昇圧ＤＣ−ＡＣコンバータを電源部１２に設けないで、名前表示部１１に組み込み、リチウムイオン電池から直接リード線を介して名前表示部１１に電力を供給するようにすることもできる。
【００２１】
本考案は前記した実施の形態に限定されるものではなく、本考案の要旨を変更しない範囲、例えば、名前表示部と電源部を一体化する場合等であっても本考案は適用される。
更に、この実施の形態では電池として３．７Ｖのリチウムイオン電池を用いたがその他の電池であってもよい。また、ソーラパネルをヘルメットに設けて昼間に電池を充電するようにしてもよい。
【符号の説明】
【００２２】
１０：発光する名前表示装置、１１：名前表示部、１２：電源部、１３：発光表示シート、１４：ファスナ片、１６：有機ＥＬシート部材、１７：カバーシート、１８：透明シート片、１８ａ：非透光性シート片、１９：ファスナ片、２０：第１の貼着シート部材、２１：ヘルメット、２２：接続端子、２３：リチウムイオン電池、２４、２４ａ：ファスナ片、２５：第２の貼着シート部材、２７：昇圧ＤＣ−ＡＣコンバータ、２８：リード線、３０：スイッチ
【図１】
0003168426.tif 000003
【図２】
0003168426.tif 000004
【図３】
0003168426.tif 000005
【図４】
0003168426.tif 000006